(57)【要約】【課題】目地材を同一平面上に配置された２つのパネルの継ぎ目を覆うときと、互いに直交するように配置された２つのパネルの継ぎ目を覆うときの両方に使用できるようにする。【解決手段】目地材１０は、壁、天井等の構造材に固着した２つのパネル材Ｐ，Ｐの継ぎ目を覆うものであり、２つのパネル材Ｐ，Ｐの継ぎ目に嵌め込まれる断面Ｕ字形の嵌合部１１と、嵌合部１１の両端縁からパネル材Ｐ，Ｐの表面に沿って貼着される一対の張出部１２Ａ，１２Ｂとを備え、嵌合部１１と一対の張出部１２Ａ，１２Ｂとは硬質材で構成され、一方の張出部１２Ａと嵌合部１１との間に軟質材よりなる可撓部１３を介在させ一方の張出部１２Ａを嵌合部１１に対して回動自在とした。【選択図】図３
2018119346.tif 000002
【特許請求の範囲】
【請求項１】
２つのパネル材の継ぎ目を覆う目地材であり、
前記２つのパネル材の継ぎ目に嵌め込まれる断面Ｕ字形の嵌合部と、前記嵌合部の両端縁から前記パネル材の表面に沿って貼着される一対の張出部とを備え、
前記嵌合部と前記一対の張出部とは硬質材で構成され、前記一対の張出部の少なくとも一方と前記嵌合部との間に軟質材よりなる可撓部を介在させ、前記可撓部により前記一対の張出部の少なくとも一方を前記嵌合部に対して回動自在としたことを特徴とする目地材。
【発明の詳細な説明】
【技術分野】
【０００１】
本発明は、壁、天井等の構造材に固着した２つのパネル材の継ぎ目を覆う目地材に関する。
【背景技術】
【０００２】
従来の目地材としては、例えば特許文献１に開示されたものがある。特許文献１の目地材は、同一平面上に配置された２つのパネル材の継ぎ目を覆うものであり、２つのパネル材の継ぎ目に嵌め込まれる断面Ｕ字形の嵌合部と、この嵌合部の両端から外側に延び、パネル材の表面に沿って貼着される張出部よりなる。
【先行技術文献】
【特許文献】
【０００３】
【特許文献１】特許第３３１５６２６号公報
【発明の概要】
【発明が解決しようとする課題】
【０００４】
上記の目地材は、同一平面上に配置された２つのパネル材の継ぎ目を覆うものであり、張出部が嵌合部の両端から同一平面上にて互いに外側に拡がるように延びている。これに対し、図４に示したように、入隅と呼ばれる互いに直交するように配置された２つのパネル材の継ぎ目を覆う目地材は、断面Ｕ字形の嵌合部の両側の張出部の一方が嵌合部から同じ方向に延長するように延び、両側の張出部の他方が嵌合部と直交するように外側に延び、両側の張出部が互いに直交するように配置されている。上記の特許文献１の目地材は、同一平面上に配置された２つのパネル材の継ぎ目を覆うものであり、入隅と呼ばれる互いに直交するように配置された２つのパネル材の継ぎ目を覆う目地材と形状が異なり、２つのパネル材の配置によってこれらの継ぎ目を覆う目地材の種類が多くなっていた。また、施工現場で２つのパネルの配置が変更になったときには、パネルの配置に応じた目地材を新たに準備しなければならなく、２つのパネルの配置を急に変更したときに対応できないことがあった。本発明は、目地材を同一平面上に配置された２つのパネルの継ぎ目を覆うときと、互いに直交するように配置された２つのパネルの継ぎ目を覆うときの両方に使用できるようにすることを目的とする。
【課題を解決するための手段】
【０００５】
本発明は、上記課題を解決するため、２つのパネル材の継ぎ目を覆う目地材であり、２つのパネル材の継ぎ目に嵌め込まれる断面Ｕ字形の嵌合部と、嵌合部の両端縁からパネル材の表面に沿って貼着される一対の張出部とを備え、嵌合部と一対の張出部とは硬質材で構成され、一対の張出部の少なくとも一方と嵌合部との間に軟質材よりなる可撓部を介在させ、一対の張出部の少なくとも一方を嵌合部に対して回動自在としたことを特徴とする目地材を提供するものである。
【０００６】
上記のように構成した目地材においては、嵌合部と一対の張出部とは硬質材で構成され、一対の張出部の少なくとも一方と嵌合部との間に軟質材よりなる可撓部を介在させ、一対の張出部の少なくとも一方を嵌合部に対して回動自在としたので、同一平面上に配置した２つのパネル材の継ぎ目を覆うようにするときには、可撓部によって一対の張出部の両方を互いに同一平面上に配置させ、互いに直交するように配置した２つのパネル材の継ぎ目を覆うようにするときには、可撓部によって一対の張出部を互いに直交するように配置させ、１つの目地材によって同一平面上に配置した２つのパネルの継ぎ目を覆うときと、互いに直交するように配置した２つのパネルの継ぎ目を覆うときとの両方で使用できるようになった。
【図面の簡単な説明】
【０００７】
【図１】本発明の目地材の一実施形態の長手方向と直交する方向の断面図である。
【図２】図１の目地材の一方の張出部を他方の張出部と直交するように配置した断面図である。
【図３】本発明の目地材の使用例を示す断面図であり、同一平面上に配置した２つのパネルの継ぎ目を覆うようにしたときの断面図（ａ）であり、入隅と呼ばれる互いに直交するように配置した２つのパネルの継ぎ目を覆うようにしたときの断面図（ｂ）である。
【図４】互いに直交するように配置した２つのパネルの継ぎ目を覆う従来の目地材の断面図である。
【発明を実施するための最良の形態】
【０００８】
以下、本発明に係る目地材の一実施形態を図面に基づいて説明する。目地材１０は、図１〜図３に示すように、壁、天井等の構造材に固着したパネル材Ｐの継ぎ目に嵌め込まれる断面Ｕ字形の嵌合部１１と、この嵌合部１１の両端縁からパネル材Ｐの上面に沿って貼着される張出部１２Ａ，１２Ｂと、嵌合部１１と一方の張出部１２Ａとの間に一体的に介在させた可撓部１３とからなる。この目地材１０は、嵌合部１１と張出部１２Ａ，１２ＢがショアＤ硬さ７５以上の熱可塑性の硬質塩化ビニルよりなり、可撓部１３がショアＡ硬さ６０〜９０の熱可塑性の軟質塩化ビニルよりなり、これら嵌合部１１、張出部１２Ａ，１２Ｂ及び可撓部１３部を押出し成形機により成形したものである。目地材１０の寸法は、幅が約４６ｍｍ、高さが約６ｍｍ、厚さが０．５〜１ｍｍ、長さが所定の長さとして２５００ｍｍとなっている。なお、嵌合部１１と張出部１２Ａ，１２Ｂは硬質材の一例として硬質塩化ビニルを用い、可撓部１３は軟質材の一例として軟質塩化ビニルを用いたが、本発明はこれに限られるものでなく、嵌合部１１と張出部１２Ａ，１２Ｂは他の硬質樹脂材を用いたものであってもよいし、可撓部１３は他の軟質樹脂材を用いたものであってもよい。
【０００９】
図１及び図２に示すように、一方の張出部１２Ａと嵌合部１１の一方の端部１１ａとの間には可撓部１３が介在しており、一方の張出部１２Ａは嵌合部１１に対して回動自在となっている。また、他方の張出部１２Ｂは、嵌合部１１の他方の端部１１ｂから外側直角方向に延出されている。図１に示したように、一方の張出部１２Ａが他方の張出部１２Ｂと同一平面上に配置（平行に配置）されているときには、図３（ａ）に示したように、同一平面上に配置された２つのパネル材Ｐ，Ｐの継ぎ目を覆うのに用いられ、図２に示したように、一方の張出部１２Ａが他方の張出部１２Ｂと直交するように配置されているときには、図３（ｂ）に示したように、入隅と呼ばれる互いに直交するように配置された２つのパネル材Ｐ，Ｐの継ぎ目を覆うのに用いられる。
【００１０】
本発明における目地材１０の一使用例を図面を用いて説明する。図３（ａ）に示したように、同一平面上に配置された２つのパネル材Ｐ，Ｐの継ぎ目を覆うときには、一方の張出部１２Ａを他方の張出部１２Ｂと同一平面上に配置させ、２つのパネル材Ｐ，Ｐの継ぎ目に嵌合部１１を嵌め込み、同一平面上に配置させた張出部１２Ａ，１２Ｂを左右のパネル材Ｐ，Ｐの表面に接着する。さらに、張出部１２Ａ，１２Ｂの外側の端部からパネル材Ｐ，Ｐにパテ（図示省略）を塗って、張出部１２Ａ，１２Ｂとパネル材Ｐ，Ｐとの段差をなくすようにし、パネル材Ｐ，Ｐから張出部１２Ａ，１２Ｂにクロス（図示省略）を張り付けて仕上処理を施す。
【００１１】
図３（ｂ）に示したように、入隅と呼ばれる互いに直交するように配置された２つのパネル材Ｐ，Ｐの継ぎ目を覆うときには、一方の張出部１２Ａを他方の張出部１２Ｂと直交するように配置させ、２つのパネル材Ｐ，Ｐの継ぎ目に嵌合部１１を嵌め込み、互いに直交するように配置させた張出部１２Ａ，１２Ｂを左右のパネル材Ｐ，Ｐの表面に接着する。さらに、張出部１２Ａ，１２Ｂの外側の端部からパネル材Ｐ，Ｐにパテ（図示省略）を塗って、張出部１２Ａ，１２Ｂとパネル材Ｐ，Ｐとの段差をなくすようにし、パネル材Ｐ，Ｐから張出部１２Ａ，１２Ｂにクロス（図示省略）を張り付けて仕上処理を施す。
【００１２】
上記のように構成した目地材１０においては、嵌合部１１と一対の張出部１２Ａ，１２Ｂとは硬質材で構成され、一方の張出部１２Ａと嵌合部１１との間に軟質材よりなる可撓部１３を介在させ、一方の張出部１２Ａを嵌合部１１に対して回動自在とした。同一平面上に配置した２つのパネル材Ｐ，Ｐの継ぎ目を覆うようにするときには、可撓部１３によって一対の張出部１２Ａ，１２Ｂの両方を互いに同一平面上に配置させ、互いに直交するように配置した２つのパネル材Ｐ，Ｐの継ぎ目を覆うようにするときには、可撓部１３によって一対の張出部１２Ａ，１２Ｂを互いに直交するように配置させればよく、１つの目地材１０によって同一平面上に配置された２つのパネルＰ，Ｐの継ぎ目を覆うときと、互いに直交するように配置された２つのパネルＰ，Ｐの継ぎ目を覆うときとの両方で使用できるようになった。これにより、目地材の部品種類点数を減らすことができるととともに、施工現場で２つのパネルＰ，Ｐの配置が急に変更になったときでも１つの目地材で対応できるようになった。
【００１３】
上記の実施形態では、嵌合部１１と一方の張出部１２Ａとの間に軟質材よりなる可撓部１３を介在させたが、本発明はこれに限られるものでなく、嵌合部１１と一方の張出部１２Ａとの間だけでなく、嵌合部１１と他方の張出部１２Ｂとの間に軟質材よりなる可撓部１３を介在させたものであってもよい。
【符号の説明】
【００１４】
１０…目地材，１１…嵌合部，１２Ａ，１２Ｂ…張出部、１３…可撓部。
【図１】
2018119346.tif 000003
【図２】
2018119346.tif 000004
【図３】
2018119346.tif 000005
【図４】
2018119346.tif 000006